(57)【要約】【課題】全閉状態で３枚の引戸が一列に並ぶ。上レールの前後巾を狭くできる。レールの交差部分で上ランナを誘導できる。【解決手段】閉状態で、一方及び他方引戸１ａ、１ｂの各上ランナが左右に位置する外側曲進レール部１１と内側曲進レール部１２の各後端部に連設した端部直線レール部１４に入り込み、中央引戸１ｃの各上ランナ２３が左右２個の湾曲レール部１３の各前端部に入り込んで、各引戸１が上レール５の長手方向と平行な同一平面となるように並置される。開状態で、上レール５の右端又は左端で３枚の引戸が前後に重ねられる。一方引戸１ａ、他方引戸１ｂの一方の上ランナ２１の前後の高さの低い補助ローラ２５ａが曲進ガイドレール部１８ｂ３を同時に横切らない。中央引戸１ｃの一方の上ランナ２１の上面に設けた前後の高さの低い補助ローラ２５ａが曲進ガイドレール部１８ｅ３を同時に横切らない。【選択図】図１
2007177611.tif 000002
【特許請求の範囲】
【請求項１】
３枚の引戸を備えた引戸装置であって、閉じた状態で中央引戸と、中央引戸の一方の側方に配置される一方引戸と、中央引戸の他方の側方に配置される他方引戸とからなり、上記３枚の引戸を走行自在にガイドする上レールに、上レールの長手方向と直交する前後方向に並んで、一方引戸と他方引戸の各上端部にそれぞれ設けた左右２個の上ランナを走行自在にガイドする共用レール部と、中央引戸の上端部に設けた左右２個の上ランナを走行自在にガイドする中央引戸用レール部とが設けられ、上記共用レール部は、上レールの長手方向と平行に延びた前側直進レール部と、前側直進レール部の長手方向の両端側から後方に延びた左右２個の外側曲進レール部と、前側直進レール部の長手方向の両端側よりも内側に寄った２箇所からそれぞれ分岐して後方に延びた左右２個の内側曲進レール部とを備え、上記中央引戸用レール部は、上記前側直進レール部と平行な後側直進レール部と、後側直進レール部における上記左右２個の内側曲進レール部と対向する位置よりもそれぞれ内側に寄った２箇所から前側に向って半円形状に湾曲し且つ湾曲した両端部が後側直進レール部に連通した左右２個の湾曲レール部とを備え、閉状態では、一方引戸の各上ランナ及び他方引戸の各上ランナのうち一方の組の上ランナがそれぞれ左側に位置する外側曲進レール部と内側曲進レール部にそれぞれ入り込むと共に、他方の組の上ランナがそれぞれ右側に位置する外側曲進レール部と内側曲進レール部にそれぞれ入り込み、且つ中央引戸の各上ランナが左右２個の湾曲レール部の各前端部にそれぞれ入り込むことで、各引戸が上レールの長手方向と平行な同一平面となるように並置され、開状態では、上レールの右端又は左端のいずれかにおいて３枚の引戸が前後に重ねて並置されるように構成され、この３枚の引戸が前後に重ねて並置される状態で、中央引戸の両上ランナが後側直進レール部に位置し、一方引戸又は他方引戸のいずれか一方の両上ランナが右側又は左側の外側曲進レール部と内側曲進レール部に位置すると共にいずれか他方の両上ランナが前側直進レール部に位置するように構成し、
各引戸の左右２個の上ランナのうち一方の上ランナの上面前後にそれぞれ高さの低い補助ローラを上方に向けて突設すると共に、他方の上ランナの上面に高さの高い補助ローラを上方に向けて突設し、
左右の内側曲進レール部のうち一方の内側曲進レール部の上方に対応した位置に、一方及び他方の引戸に設けた２個の上ランナのうち一方の上ランナの上面の前後に設けた高さの低い補助ローラをそれぞれ前側直進レール部と平行に直進ガイドして該一方の上ランナを前側直進レール部に沿って直進させるための前後２列の直線ガイドレール部と、上記高さの低い補助ローラは下方を通過させるが一方及び他方の引戸の他方の上ランナの上面に突出させた高さの高い補助ローラを曲進ガイドして該他方の上ランナを一方の内側曲進レール部に導くための上記前後２列の直線ガイドレール部を横切るように形成した曲進ガイドレール部とを備えた補助レールブロックを設け、上記曲進ガイドレール部が前後の直線ガイドレール部を横切る交点を一方の上ランナの上面に設けた前後の高さの低い補助ローラのうちいずれかが通過する際に他の高さの低い補助ローラが直線ガイドレール部の上記曲進ガイドレール部との交点以外の箇所に位置するように設定し、
左右の内側曲進レール部のうち他方の内側曲進レールの上方に対応した位置に、一方及び他方の引戸に設けた２個の上ランナのうち他方の上ランナの上面に設けた高さの高い補助ローラを前側直進レール部と平行に直進ガイドして該他方の上ランナを前側直進レール部に沿って直進させるための一列の直線ガイドレール部と、一方の上ランナの上面の前後に設けた高さの低い補助ローラのうち前後いずれかの補助ローラを曲進させて一方の上ランナを他方の内側曲進レール部に導くための曲進ガイドレール部とを備えた補助レールブロックを設け、
左右の湾曲レール部のうち一方の湾曲レール部の上方に対応した位置に、中央引戸に設けた２個の上ランナのうち一方の上ランナの上面に設けた高さの低い前後の補助ローラを後側直進レール部と平行に直進ガイドして該一方の上ランナを前側直進レール部に沿って直進させるための前後２列の直線ガイドレール部と、上記高さの低い補助ローラは下方を通過させるが中央引戸の他方の上ランナの上面に突出させた高さの高い補助ローラを曲進ガイドして該他方の上ランナを一方の湾曲レール部に導くための上記前後２列の直線ガイドレール部を横切るように形成した曲進ガイドレール部とを備えた補助レールブロックを設け、上記曲進ガイドレール部が前後の直線ガイドレール部を横切る各交点を一方の上ランナの上面に設けた前後の高さの低い補助ローラのうちいずれかが通過する際に他の高さの低い補助ローラが直線ガイドレール部の上記曲進ガイドレール部との交点以外の箇所に位置するように設定し、
左右の湾曲レール部のうち他方の湾曲レール部の上方に対応した位置に、中央引戸に設けた２個の上ランナのうち他方の上ランナの上面に設けた高さの高い補助ローラを後側直進レール部と平行に直進ガイドして該他方の上ランナを後側直進レール部に沿って直進させるための一列の直線ガイドレール部と、一方の上ランナの上面の前後に設けた高さの低い補助ローラのうち前後いずれかの補助ローラを曲進させて一方の上ランナを他方の内側曲進レール部に導くための曲進ガイドレール部とを備えた補助レールブロックを設けて成ることを特徴とする引戸装置。
【発明の詳細な説明】
【技術分野】
【０００１】
本発明は、引戸装置に関し、詳しくは閉じた状態で各引戸が段差無く一列に面一となる引戸装置に関するものである。
【背景技術】
【０００２】
従来から、３枚引戸の場合、各引戸が各々平行に直進移動して閉状態と右開き状態又は左開き状態となる引き違い式の引戸装置が知られている。
【０００３】
ところが、上記の従来例では、閉状態では手前側から後方にかけて各引戸が段差状となるため、外観上の見栄えが悪いだけでなく、各引戸ごとに上レールの長手方向と直交する前後方向に３本のレール部を並設する必要があり、このため上レールの全体の見込み寸法（奥行き）を大きくとる必要が生じるなど、施工自由度が小さいという制約もあった。
【０００４】
また、親引戸の表面側に子引戸を開閉方向に移動自在に取付け、親引戸の裏面側に別の子引戸を開閉方向に移動自在に取付け、一方の子引戸を親引戸の表面側に、他方の子引戸を親引戸の裏面側に重ねることで開いた時に大きく開口させることができるようにした引戸装置が特許文献１に示してある。
【０００５】
この特許文献１に示された従来例では、レールの本数を少なくすることが可能であるが、親引戸に子引戸を走行自在にガイドするためのガイド溝、スライダを設ける必要があり、ガイド溝が露出して外観を悪くしてしまう。
【０００６】
また、２枚引戸において、全閉状態で２枚の引戸が面一に連続し、全閉状態で２枚の引戸が前後に重なるようになったものが特許文献２により知られている。しかしながら、この従来例のものは２枚引戸であり、レールも２枚引戸に対応した前後２列のレール部が必要であり、この２枚引戸、前後２列のレール部という関係をそのまま３枚引戸には適用できない。また、２枚引戸、前後２列のレール部という関係のものにはレール全体の見込み寸法（奥行き寸法）を小さくしようという考え方がそもそも存在しない。
【特許文献１】特開平１１−２２９７０３号公報
【特許文献２】実開昭５１−１０３５２４号公報
【発明の開示】
【発明が解決しようとする課題】
【０００７】
本発明は上記の従来の問題点に鑑みて発明したものであって、全閉状態で３枚の引戸が一列に並んで連続した壁のような外観を呈することができ、また、上レール全体の前後方向の巾を狭くでき、しかも、一方及び他方の引戸の上ランナを前側直進レール部と内側曲進レール部との分岐部分で目的とする方向に確実に誘導すると共に、中央引戸の上ランナを後側直進レール部と湾曲レール部の分岐部分において目的とする方向に確実に誘導することができる引戸装置を提供することを課題とするものである。
【課題を解決するための手段】
【０００８】
前記課題を解決するために本発明にあっては、３枚の引戸１を備えた引戸装置であって、閉じた状態で中央引戸１ｃと、中央引戸１ｃの一方の側方に配置される一方引戸１ａと、中央引戸１ｃの他方の側方に配置される他方引戸１ｂとからなり、上記３枚の引戸１を走行自在にガイドする上レール５に、上レール５の長手方向と直交する前後方向に並んで、一方引戸１ａと他方引戸１ｂの各上端部にそれぞれ設けた左右２個の上ランナ２１、２２を走行自在にガイドする共用レール部７と、中央引戸１ｃの上端部に設けた左右２個の上ランナ２３を走行自在にガイドする中央引戸用レール部８とが設けられ、上記共用レール部７は、上レール５の長手方向と平行に延びた前側直進レール部９と、前側直進レール部９の長手方向の両端側から後方に延びた左右２個の外側曲進レール部１１と、前側直進レール部９の長手方向の両端側よりも内側に寄った２箇所からそれぞれ分岐して後方に延びた左右２個の内側曲進レール部１２とを備え、上記中央引戸用レール部８は、上記前側直進レール部９と平行な後側直進レール部１０と、後側直進レール部１０における上記左右２個の内側曲進レール部１２と対向する位置よりもそれぞれ内側に寄った２箇所から前側に向って半円形状に湾曲し且つ湾曲した両端部が後側直進レール部１０に連通した左右２個の湾曲レール部１３とを備え、閉状態では、一方引戸１ａの各上ランナ２１及び他方引戸１ｂの各上ランナ２２のうち一方の組の上ランナがそれぞれ左側に位置する外側曲進レール部１１と内側曲進レール部１２にそれぞれ入り込むと共に、他方の組の上ランナがそれぞれ右側に位置する外側曲進レール部１１と内側曲進レール部１２にそれぞれ入り込み、且つ中央引戸１ｃの各上ランナ２３が左右２個の湾曲レール部１３の各前端部にそれぞれ入り込むことで、各引戸１が上レール５の長手方向と平行な同一平面となるように並置され、開状態では、上レール５の右端又は左端のいずれかにおいて３枚の引戸１が前後に重ねて並置されるように構成され、この３枚の引戸が前後に重ねて並置される状態で、中央引戸１ｃの両上ランナ２３が後側直進レール部１０に位置し、一方引戸１ａ又は他方引戸１ｂのいずれか一方の両上ランナが右側又は左側の外側曲進レール部１１と内側曲進レール部１２に位置すると共にいずれか他方の両上ランナが前側直進レール部９に位置するように構成し、
各引戸１の左右２個の上ランナのうち一方の上ランナの上面前後にそれぞれ高さの低い補助ローラ２５ａを上方に向けて突設すると共に、他方の上ランナの上面に高さの高い補助ローラ２５ｂを上方に向けて突設し、
左右の内側曲進レール部１２のうち一方の内側曲進レール部１２の上方に対応した位置に、一方及び他方の引戸１ａ、１ｂに設けた２個の上ランナのうち一方の上ランナの上面の前後に設けた高さの低い補助ローラ２５ａをそれぞれ前側直進レール部９と平行に直進ガイドして該一方の上ランナを前側直進レール部９に沿って直進させるための前後２列の直線ガイドレール部１８ｂ１、１８ｂ２と、上記高さの低い補助ローラ２５ａは下方を通過させるが一方及び他方の引戸の他方の上ランナの上面に突出させた高さの高い補助ローラ２５ｂを曲進ガイドして該他方の上ランナを一方の内側曲進レール部１２に導くための上記前後２列の直線ガイドレール部１８ｂ１、１８ｂ２を横切るように形成した曲進ガイドレール部１８ｂ３とを備えた補助レールブロック１８ｂを設け、上記曲進ガイドレール部１８ｂ３が前後の直線ガイドレール部１８ｂ１、１８ｂ２を横切る交点を一方の上ランナの上面に設けた前後の高さの低い補助ローラ２５ａのうちいずれかが通過する際に他の高さの低い補助ローラ２５ａが直線ガイドレール部１８ｂ１、１８ｂ２の上記曲進ガイドレール部１８ｂ３との交点以外の箇所に位置するように設定し、
左右の内側曲進レール部１２のうち他方の内側曲進レール部１２の上方に対応した位置に、一方及び他方の引戸１ａ、１ｂに設けた２個の上ランナのうち他方の上ランナの上面に設けた高さの高い補助ローラ２５ｂを前側直進レール部９と平行に直進ガイドして該他方の上ランナを前側直進レール部９に沿って直進させるための一列の直線ガイドレール部１８ｄ１と、一方の上ランナの上面の前後に設けた高さの低い補助ローラ２５ａのうち前後いずれかの補助ローラ２５ａを曲進させて一方の上ランナを他方の内側曲進レール部１２に導くための曲進ガイドレール部１８ｄ２とを備えた補助レールブロック１８ｄを設け、
左右の湾曲レール部１３のうち一方の湾曲レール部１３の上方に対応した位置に、中央引戸１ｃに設けた２個の上ランナ２３のうち一方の上ランナ２３の上面に設けた高さの低い前後の補助ローラ２５ａを後側直進レール部１０と平行に直進ガイドして該一方の上ランナ２３を後側直進レール部１０に沿って直進させるための前後２列の直線ガイドレール部１８ｅ１、１８ｅ２と、上記高さの低い補助ローラ２５ａは下方を通過させるが中央引戸１ｃの他方の上ランナ２３の上面に突出させた高さの高い補助ローラ２５ｂを曲進ガイドして該他方の上ランナ２３を一方の湾曲レール部１３に導くための上記前後２列の直線ガイドレール部１８ｅ１、１８ｅ２を横切るように形成した曲進ガイドレール部１８ｅ３とを備えた補助レールブロック１８ｅを設け、上記曲進ガイドレール部１８ｅ３が前後の直線ガイドレール部１８ｅ１、１８ｅ２を横切る各交点を一方の上ランナ２３の上面に設けた前後の高さの低い補助ローラ２５ａのうちいずれかが通過する際に他の高さの低い補助ローラ２５ａが直線ガイドレール部１８ｅ１、１８ｅ２の上記曲進ガイドレール部１８ｅ３との交点以外の箇所に位置するように設定し、
左右の湾曲レール部１３のうち他方の湾曲レール部１３の上方に対応した位置に、中央引戸１ｃに設けた２個の上ランナ２３のうち他方の上ランナ２３の上面に設けた高さの高い補助ローラ２５ｂを後側直進レール部１０と平行に直進ガイドして該他方の上ランナ２３を後側直進レール部１０に沿って直進させるための一列の直線ガイドレール部１８ｆ１と、一方の上ランナ２３の上面の前後に設けた高さの低い補助ローラ２５ａのうち前後いずれかの補助ローラ２５ａを曲進させて一方の上ランナ２３を他方の内側曲進レール部１２に導くための曲進ガイドレール部１８ｆ２とを備えた補助レールブロック１８ｆを設けて成ることを特徴とするものである。
【０００９】
このように３枚の引戸１が閉じた状態で一列に面一となるように配置されるように構成してあることで、３枚の引戸１を閉じた状態で隣接する引戸１間に段差が生じることがなくて、一連の連続した壁面としての外観を呈することができ、また、開いた状態で３枚の引戸１を前後に重ねた状態にして２枚分の引戸１を開いた状態にできる。しかも、このように、３枚の引戸１が閉じた状態で一列に面一となるように配置できると共に開いた状態で３枚の引戸１を前後に重ねた状態にするに当たって、レール部としては、一方引戸１ａと他方引戸１ｂの各上端部にそれぞれ設けた左右２個の上ランナ２１、２２を走行自在にガイドする共用レール部７と、中央引戸１ｃの上端部に設けた左右２個の上ランナ２３を走行自在にガイドする中央引戸用レール部８との前後２列のレール部を形成するだけでよくて、上レール５全体の前後方向の巾を狭くできる。
【００１０】
また、左右の内側曲進レール部１２の上方に対応した位置、左右の湾曲レール部１３の上方に対応した位置にそれぞれ補助レールブロック１８ｂ、補助レールブロック１８ｄ、補助レールブロック１８ｅ、補助レールブロック１８ｆを設けてあるので、一方及び他方の引戸１ａ、１ｂの上ランナ２１、２２を前側直進レール部９と内側曲進レール部１２との分岐部分で目的とする方向に確実に誘導すると共に、中央引戸１ｃの上ランナ２３を後側直進レール部１０と湾曲レール部１３の分岐部分において確実に誘導することができ、特に、一方引戸１ａ、他方引戸１ｂの一方の上ランナ２１の上面に設けた前後の高さの低い補助ローラ２５ａが曲進ガイドレール部１８ｂ３を同時に横切らないようになっていおり、いずれかの高さの低い補助ローラ２５ａが曲進ガイドレール部１８ｂ３との交差部分を横切る際に他の高さの低い補助ローラ２５ａが前後の直線ガイドレール部１８ｂ１又は直線ガイドレール部１８ｂ２内に位置していて上記交差部分を通過する際に首振りすることなく直進するように確実に誘導できる。また、中央引戸１ｃの一方の端部に取付けた上ランナ２１の上面に設けた前後の高さの低い補助ローラ２５ａが曲進ガイドレール部１８ｅ３を同時に横切らないようになっており、いずれかの高さの低い補助ローラ２５ａが曲進ガイドレール部１８ｅ３との交差部分を横切る際に他の補助ローラ２５ａが前後の直線ガイドレール部１８ｅ２、直線ガイドレール部１８ｅ１内に位置していて上記交差部分を通過する際に首振りすることなく直進するように確実に誘導できる。
【発明の効果】
【００１１】
本発明にあっては、上記のように全閉状態で３枚の引戸が一列に連続して並んで連続した壁のように外観上の一体感を持たせることができて外観が良くなるものであり、また、上レール全体の前後方向の巾を狭くでき、また、一方及び他方の引戸の上ランナを前側直進レール部と内側曲進レール部との分岐部分で目的とする方向に確実に誘導すると共に、中央引戸の上ランナを後側直進レール部と湾曲レール部の分岐部分において確実に誘導することができ、特に、上ランナが交差部分を通過する際に首振りすることなく直進するように確実に誘導できる。
【発明を実施するための最良の形態】
【００１２】
以下、本発明を添付図面に示す実施形態に基いて説明する。
【００１３】
本発明の引戸装置は、図１乃至図６に示すように３枚の引戸１を有し、閉じた状態で中央引戸１ｃと、中央引戸１ｃの一方の側方に配置される一方引戸１ａと、中央引戸１ｃの他方の側方に配置される他方引戸１ｂとで構成され、図１（ａ）、図２（ａ）、図３に示すように閉じた状態で上記３枚の引戸１が一列に並ぶだけでなく３枚全体が段差なく面一となるように配置されるようになっていて、例えばクローゼットの扉として用いた場合、３枚の引戸１が段差無く面一に連続した一連の壁としての外観を呈することができるようになっており、見栄えが良好となる。
【００１４】
なお、以下の説明では、面一となるように３枚の引戸１を閉じた場合、図２に示すように正面（室内Ｘ）から見て右側に位置する方の引戸１を一方引戸１ａ、左側に位置する引戸１を他方引戸１ｂと定義して説明する。以下の説明で右側とは全閉状態で正面から見て一方引戸１ａが位置する方、左側とは全閉状態で他方引戸１ｂが位置する方を指す。なお、図１は上レール５部分を下方から見た下面図であるので、図２に示す平面図とは室内Ｘか見て左右が逆となるように作図している。また、図３は収納空間Ｙから見た斜視図であり、したがって、面一となるように３枚の引戸１を閉じた場合、作図上一方引戸１ａが左側、他方引戸１ｂが右側に位置するように作図している。同様に、図４乃至図６においても正面から見た場合と左右が逆に作図している。
【００１５】
上記３枚の引戸１は、他方引戸１ｂ側から一方引戸１ａ側に移動して開く際には該他方引戸１ｂを一方引戸１ａの前方Ａ（室内Ｘ側）に誘導し且つ中央引戸１ｃを一方引戸１ａの後方Ｂ（収納空間Ｙ側）に誘導し、且つ、一方引戸１ａ側から他方引戸１ｂ側に移動して開く際には該一方引戸１ａを他方引戸１ｂの前方Ａ（室内Ｘ側）に誘導し且つ中央引戸１ｃを他方引戸１ｂの後方Ｂ（収納空間Ｙ側）に誘導するための誘導機構１９と、他方引戸１ｂ側の操作力を中央引戸１ｃに伝達して中央引戸１ｃを他方引戸１ｂに追従して開閉させ、且つ、一方引戸１ａ側の操作力を中央引戸１ｃに伝達して中央引戸１ｃを一方引戸１ａに追従して開閉させるための連動機構１５とを備えている。
【００１６】
先ず、誘導機構１９について説明する。
【００１７】
誘導機構１９は、引戸１の上部に各々取り付けられる上ランナ２１〜２３と、引戸１の下部に各々取り付けられる下ローラ２７と、上記上ランナ２１〜２３、下ローラ２７を走行自在にガイドする戸枠４に設けた上下レール５、６とで構成してある。
【００１８】
戸枠４は３枚の引戸１を開閉自在に取付けるための開口部に取付けられる矩形状の枠体であり、上下レール５、６と左右縦枠４ａとで構成してある。図３乃至図６には上レール５を省略した状態が示してあり、図１、図７乃至図１０はそれぞれ上レール５を下から見た下面図、下から見た斜視図、下から見た分解斜視図等が示してある。
【００１９】
上ランナ２１〜２３は図１１乃至図１４に示すようにそれぞれ引戸１の後面の上端部の左右方向の両端部に逆Ｌ字状をした逆Ｌ型金具２８を介して取付けてあり、上ランナ２１〜２３は引戸１の上端部の後方に位置しており、上ランナ２１〜２３を後述の上レール５に走行自在に取付けた場合、上ランナ２１〜２３による上レール５の走行支持部分よりも前方にずれて引戸１が吊り下げされることになる。
【００２０】
上レール５は、図７乃至図１０に示すように、躯体に固定される上レール本体５０と、上レールカバー５１とで構成してある。実施形態では上レールカバー５１は長手方向の左右及び中間部に配置されて上レール本体５０にネジ固定される主上レールカバー５１ａと、左右の主上レールカバー５１ａの外側端部に配置されて主上レールカバー５１ａにネジ固定され、また、隣合う主上レールカバー５１ａ間に配置されて主上レールカバー５１ａ又は後述の上レール本体５０に固定される分岐部材１８にネジ固定される板状をした副上レールカバー５１ｂとで構成してある。
【００２１】
上レール本体５０に上レールカバー５１を取付けて構成した上レール５には、図９（ａ）、図１０（ｂ）に示すように、上レール５の長手方向Ｍと直交する前後方向Ａ，Ｂに並んで、溝状の共用レール部７と溝状の中央引戸用レール部８とが並設されている。共用レール部７は、一方及び他方引戸１ａ、１ｂ（すなわち正面から見て右側の引戸１ａ、左側の引戸１ｂ）の各上端部の両端２箇所に設けた左右２個の上ランナ２１、２２をそれぞれ走行自在にガイドするものであり、中央引戸用レール部８は中央引戸１ｃの上端部に設けた左右２個の上ランナ２３を走行自在にガイドするものである。
【００２２】
上記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。上記左右２個の外側曲進レール部１１と左右２個の内側曲進レール部１２の各先端部に前側直進レール部９と平行な端部直線レール部１４を連出してある。
【００２３】
また、上記中央引戸用レール部８は、前側直進レール部９に平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。
【００２４】
これら２本のレール部（共用レール部７、中央引戸用レール部８）で３枚引戸１をガイドすることで、上レール５全体の見込み寸法Ｋ（図１７）を小さくすることが可能となり、例えばクローゼットの扉として用いた場合は収納量アップを図ることができると共に、仮りにクローゼット内で荷崩れが発生した場合でも、例えば、一方引戸１ａは閉状態から他方引戸１ｂ側に移動させることで、外側曲進レール部１１、内側曲進レール部１２に沿って前方に移動して前側直進レール部９に沿って開方向（他方引戸１ｂ側）に移動して開くことが可能となる。
【００２５】
上記共用レール部７に設けた左右２個の外側曲進レール部１１の後端部に連出した端部直線レール部１４と、左右２個の内側曲進レール部１２の後端部に連出した端部直線レール部１４と、中央引戸用レール部８における左右２個の湾曲レール部１３の前端部とは、前側直進レール部９、後側直進レール部１０と平行な仮想直線上に位置している。また、左側の外側曲進レール部１１の後端部に連出した端部直線レール部１４の先端部と左側の内側曲進レール部１２の後端部に連出した端部直線レール部１４の先端部との間の距離は左側の引戸１（つまり他方引戸１ｂ）の左右の上ランナ２２間の距離に等しく、また、右側の外側曲進レール部１１の後端部に連出した端部直線レール部１４と右側の内側曲進レール部１２の後端部に連出した端部直線レール部１４の先端部との間の距離は右側の引戸１（つまり一方引戸１ａ）の左右の上ランナ２１間の距離に等しく、更に、左右の湾曲レール部１３の前端部間の距離は中央引戸１ｃの左右の上ランナ２３間の距離に等しく設定してある。
【００２６】
ここで、閉状態では、図１（ａ）に示す他方引戸１ｂの各上ランナ２２が左側に位置する外側曲進レール部１１と内側曲進レール部１２の各後端部から連出した端部直線レール部１４にそれぞれ入り込み、中央引戸１ｃの各上ランナ２３が左右２個の湾曲レール部１３の各前端部にそれぞれ入り込み、且つ一方引戸１ａの各上ランナ２１が右側に位置する外側曲進レール部１１と内側曲進レール部１２の各後端部から連出した端部直線レール部１４にそれぞれ入り込むことで、各引戸１が上レール５の長手方向Ｍと平行な同一平面となるように（つまり、３枚の引戸１が面一に連続するように）並置される。
【００２７】
一方、図１５の左開き状態では、図１（ｃ）のように他方引戸１ｂの各上ランナ２１が右側に位置する外側曲進レール部１１と内側曲進レール部１２の各後端部から連出した端部直線レール部１４にそれぞれ入り込み、中央引戸１ｃの左右の上ランナ２３が後側直進レール部１０に移動し（この場合左側の上ランナ２３が後側直進レール部１０の右側の端部に移動する）、且つ一方引戸１ａの各上ランナ２２が前側直進レール部９の右側にそれぞれ移動することで、手前から順に他方引戸１ｂと一方引戸１ａと中央引戸１ｃとが重ねて並置される。
【００２８】
また、図１６の右開き状態では、他方引戸１ｂの各上ランナ２２が左側に位置する外側曲進レール部１１及び内側曲進レール部１２の各後端部から連出した端部直線レール部１４にそれぞれ入り込み、中央引戸１ｃの左右の上ランナ２３がそれぞれ後側直進レール部１０に移動し（この場合左側の上ランナ２３が後側直進レール部１０の左側の端部に移動する）、且つ一方引戸１ａの各上ランナ２１が前側直進レール部９の左側にそれぞれ移動することで、手前から順に一方引戸１ａと他方引戸１ｂと中央引戸１ｃとが重ねて並置される。
【００２９】
これら左開き状態と右開き状態とは任意に選択できるようになっている。つまり、誘導機構１９は、他方引戸１ｂと中央引戸１ｃと一方引戸１ａとを前後に重ねた状態で、中央引戸１ｃを一方引戸１ａと重ならない位置に移動して一方引戸１ａと面一となるように誘導し、且つ他方引戸１ｂを一方引戸１ａ及び中央引戸１ｃとは重ならない位置に移動して中央引戸１ｃと面一となるように誘導する機能も兼ねている。
【００３０】
一方、各引戸１の上面の左右両側にはそれぞれ上ランナ２１（又は上ランナ２２、又は上ランナ２３）が設けてある。この上ランナ２１〜２３は、図１１乃至図１４に示すように、一対の上ローラ２６を備えたローラブロック２４と、ローラブロック２４の上面から上方に突出する複数個の補助ローラ２５ａ（又は補助ローラ２５ｂ）とで構成されている。この補助ローラ２５ａ（又は補助ローラ２５ｂ）は図７、図９（ｂ）、図１０（ｃ）、図１７に示す分岐部材１８により曲進又は直進のいずれかに案内されるようになっている。
【００３１】
ここで、図１１乃至図１４、図１７に示すように、一方引戸１ａ及び他方引戸１ｂの正面（室内Ｘ）から見て各右側端部に設けられた上ランナ２１（又は上ランナ２２）の上面の後方側にずれた位置及び前側にずれた位置にそれぞれ高さの低い４個の補助ローラ２５ａ（後方向にずれた位置に進行方向に２個、前方向にずれた位置に進行方向に２個、合計４個）が上方に向けて突設してあり、また、一方引戸１ａ及び他方引戸１ｂの各左側端部に設けられた上ランナ２１（又は上ランナ２２）の上面の前方側にずれた位置に高さの高い２個の補助ローラ２５ｂが上方に向けて突設してあり、また、中央引戸１ｃの右側端部に設けられた上ランナ２３の上面の後方側にずれた位置に高さの高い２個の補助ローラ２５ｂにより構成される２連補助ローラ２５ｂが上方に向けて突設してあり、また、中央引戸１ｃの左側端部に設けられた上ランナ２３の上面の前方側にずれた位置及び後方向がずれた位置に高さの低い４個の補助ローラ２５ａ（後方向にずれた位置に進行方向に２個、前方向にずれた位置に進行方向に２個、合計４個）が上方に向けて突設してある。
【００３２】
分岐部材１８は、上レール本体５０の下面部にネジ固定により取付けられるもので、図７乃至図１０に示す外側曲進レール部１１、内側曲進レール部１２、湾曲レール部１３の各分岐点に設けられた下方に開口した補助レールブロック１８ａ〜１８ｆ（図８に拡大斜視図が示してある）で構成されている。図７乃至図１０において、補助レールブロック１８ａは右側の外側曲進レール部１１に対応した位置に配置してあって上レール本体５０の下面部に取付けてあり、補助レールブロック１８ｂは右側の内側曲進レール部１２に対応した位置に配置してあって上レール本体５０の下面部に取付けてあり、また、補助レールブロック１８ｃは左側の外側曲進レール部１１に対応した位置に配置してあって上レール本体５０の下面部に取付けてあり、補助レールブロック１８ｄは左側の内側曲進レール部１２に対応した位置に配置してあって上レール本体５０の下面部に取付けてあり、また、補助レールブロック１８ｅは右側の湾曲レール部１３に対応した位置に配置してあって上レール本体５０の下面部に取付けてあり、補助レールブロック１８ｆは左側の湾曲レール部１３に対応した位置に配置してあって上レール本体５０の下面部に取付けてある。
【００３３】
上記補助レールブロック１８ａは高さの低い補助ローラ２５ａをガイドするためのもので、図８（ａ）に示すように、右側の外側曲進レール部１１の後側に沿った下方に開口した溝状の曲進ガイドレール部１８ａ１を有している。該曲進ガイドレール部１８ａ１の一端部の開口から一方引戸１ａの右側端部に設けた上ランナ２１の上面に設けた４個の高さの低い補助ローラ２５ａのうち後方向にずれた位置の２個の補助ローラ２５ａが挿入されることで、一方引戸１ａの上ランナ２１を右側の外側曲進レール部１１に沿って導入するようになっている。この場合、上記上ランナ２１の上面に設けた４個の高さの低い補助ローラ２５ａのうち前方向にずれた位置の２個の補助ローラ２５ａは補助レールブロック１８ａの下面部の上記曲進ガイドレール部１８ａ１の下端よりも上方に凹んだ段落ち部１８ａ２の下方を通過するように構成してある。
【００３４】
また、補助レールブロック１８ｂは、高さの低い前後４個の補助ローラ２５ａが直進するようにガイドすると共に高さの高い２個の補助ローラ２５ｂが曲進するようにガイドするためのもので、図８（ｂ）に示すように、下方に開口した溝状の前後２列の直線ガイドレール部１８ｂ１、１８ｂ２と、下方に開口した溝状の曲進ガイドレール部１８ｂ３とが設けてある。前の直線ガイドレール部１８ｂ１の左側半部が曲進ガイドレール部１８ｂ３の左側半部を兼用しており、更に、曲進ガイドレール部１８ｂ３の平面視で傾斜した中間部が後の直線ガイドレール部１８ｂ２を横切っており、曲進ガイドレール部１８ｂ３の中間部及び右側半部が右側の内側曲進レール部１２の前側に沿うように配設してある。
【００３５】
ここで、図８（ｂ）に示すように、直線ガイドレール部１８ｂ１、１８ｂ２と、曲進ガイドレール部１８ｂ３とは下端の位置が同じ高さ位置であるが、曲進ガイドレール部１８ｂ３は高さの高い補助ローラ２５ｂをガイドすることができるように溝深さが深い（上方への凹み深さが深い）ものであり、前の直線ガイドレール部１８ｂ１の左側半部は曲進ガイドレール部１８ｂ３の左側半部を兼用しているので溝深さが深いが右側半部は溝深さが浅い（上方への凹み深さが浅い）ものである。また、後の直線ガイドレール部１８ｂ２は曲進ガイドレール部１８ｂ３の中間部が横切っている部分は溝深さが深く、他の部分は溝深さが浅いものであり、これら溝深さの浅い部分の溝底（上底）は高さの高い補助ローラ２５ｂの上端よりも下位置となるように設定してある。したがって、図１９（ｂ）のように曲進ガイドレール部１８ｂ３の前半部を兼用する前の直線ガイドレール部１８ｂ１の左側半部に入った高さの高い補助ローラ２５ｂは直線ガイドレール部１８ｂ１の右側半部側には移動できず曲進ガイドレール部１８ｂ３の中間部に向かい、更に該中間部を通過する際、後の直線ガイドレール部１８ｂ２側にも移動できず、スムーズに後半部にガイドされる。また、図１９（ａ）に示すように、前の直進ガイドレール部１８ｂ１は一方引戸１ａ及び他方引戸１ｂの各右側端部に取付けた上ランナ２１の上面に設けた４個の高さの低い補助ローラ２５ａのうち前側の２個の高さの低い補助ローラ２５ａが直進するようにガイドするようになっており、後の直進ガイドレール部１８ｂ２は一方引戸１ａ及び他方引戸１ｂの各右側端部に取付けた上ランナ２１の上面に設けた４個の高さの低い補助ローラ２５ａのうち後側の２個の高さの低い補助ローラ２５ａが直進するようにガイドするようになっている。
【００３６】
ところで、一方引戸１ａ、他方引戸１ｂの各右側端部に取付けた上ランナ２１の上面に設けた４個の高さの低い補助ローラ２５ａは前後左右の４個の補助ローラ２５ａが曲進ガイドレール部１８ｂ３を同時に横切らないようになっており、どれかの高さの低い補助ローラ２５ａが曲進ガイドレール部１８ｂ３との交差部分を横切る際に少なくとも前後１個ずつの補助ローラ２５ａが前の直線ガイドレール部１８ｂ１、後の直線ガイドレール部１８ｂ２内に位置していて上記交差部分を通過する際に首振りすることなく直進するように構成してある。
【００３７】
また、補助レールブロック１８ｃは高さの高い補助ローラ２５ｂをガイドするためのもので、図８（ｆ）に示すように、左側の外側曲進レール部１１の前側に沿った下方に開口した溝深さが深い（上方への凹み深さが深い）溝状の曲進ガイドレール部１８ｃ１を有している。該曲進ガイドレール部１８ｃ１の一端部の開口から他方引戸１ｂの左側端部に取付けた上ランナ２２の上面の前側に片寄って設けた２個の高さの高い補助ローラ２５ｂが挿入されることで、他方引戸１ｂの上ランナ２２を左側の外側曲進レール部１１に沿って導入するようになっている。
【００３８】
また、補助レールブロック１８ｄは、高さの高い前側に片寄った２個の補助ローラ２５ｂが直進するようにガイドすると共に高さの低い前後４個の補助ローラ２５ａが曲進するようにガイドするためのもので、図８（ｅ）に示すように、両端部及び下方に開口した溝状の直線ガイドレール部１８ｄ１を前側に設けると共に、一端が開口し且つ下方に開口した溝状の曲進ガイドレール部１８ｄ２を後側に設けてあり、曲進ガイドレール部１８ｄ２は左側の内側曲進レール部１２の後側に沿うように配設してある。
【００３９】
ここで、図８（ｅ）に示すように、曲進ガイドレール部１８ｄ２は直線ガイドレール部１８ｄ１の下端よりも下方に突出して形成してあり、曲進ガイドレール部１８ｄ２の下端は高さの低い補助ローラ２５ａの上端よりも上方に位置している。図２１（ｂ）のように、直線ガイドレール部１８ｄ１には他方引戸１ｂ及び一方引戸１ａの各左側端部に取付けた上ランナ２１、２２の上面の前側に片寄って設けた高さの高い補助ローラ２５ｂが挿入されることになって他方引戸１ｂ及び一方引戸１ａの各左側端部に取付けた上ランナ２１、２２を直線走行させるようにガイドするようになっている。また、図２１（ａ）のように、曲進ガイドレール部１８ｄ２には他方引戸１ｂの右側端部に取付けた上ランナ２２の上面の後側に片寄って設けた２個の高さの低い補助ローラ２５ｂが挿入されることで、他方引戸１ｂの上ランナ２２を左側の内側曲進レール部１２に沿って導入するようになっており、この場合、他方引戸１ｂの右側端部に取付けた上ランナ２２の上面の前側に片寄って設けた２個の高さの低い補助ローラ２５ｂは補助レールブロック１８ｄの下面部の上記曲進ガイドレール部１８ｄ２の下端よりも上方に凹んだ段落ち部１８ｄ３の下方を通過するように構成してある。なお、直線ガイドレール部１８ｄ１の下端は上記段落ち部１８ｄ３の上底に開口しているため高さの低い補助ローラ２５ａが直線ガイドレール部１８ｄ１内に入り込むことはない。
【００４０】
また、補助レールブロック１８ｅは、中央引戸１ｃの右側に取付けた上ランナ２３の上面に設けた高さの低い前後４個の補助ローラ２５ａが直進するようにガイドすると共に左側に取付けた上ランナ２３の上面に設けた高さの高い２個の補助ローラ２５ｂが曲進するようにガイドするためのもので、図８（ｃ）に示すように、両端及び下方に開口した溝状の前後２列の直線ガイドレール部１８ｅ１、１８ｅ２と、円弧状をした両端及び下方に開口した溝状の曲進ガイドレール部１８ｅ３とが設けてある。後の直線ガイドレール部１８ｅ２は左側部、右側部がそれぞれ曲進ガイドレール部１８ｅ３の左側部、右側部を兼用しており、更に、曲進ガイドレール部１８ｅ３の円弧状をした中間部の両端部の平面視で傾斜した部分がそれぞれ前の直線ガイドレール部１８ｅ２を横切っており、曲進ガイドレール部１８ｅ３の中間部が湾曲レール部１３の前側に沿うように配設してある。
【００４１】
ここで、図８（ｃ）のように、直線ガイドレール部１８ｅ１、１８ｅ２と、曲進ガイドレール部１８ｅ３とは下端の位置が同じ高さ位置であるが、曲進ガイドレール部１８ｅ３は高さの高い補助ローラ２５ｂをガイドすることができるように溝深さが深い（上方への凹み深さが深い）ものであり、後の直線ガイドレール部１８ｅ１の右側部及び左側部は曲進ガイドレール部１８ｅ３の右側部及び左側部を兼用しているので溝深さが深いが直線ガイドレール部１８ｅ１の中間部は溝深さが浅い（上方への凹み深さが浅い）ものである。また、前の直線ガイドレール部１８ｅ２は曲進ガイドレール部１８ｅ３の中間部の両端部が横切っている部分は溝深さが深く、他の部分は溝深さが浅いものであり、これら溝深さの浅い部分の溝底（上底）は高さの高い補助ローラ２５ｂの上端よりも下位置となるように設定してある。したがって、図１９（ｄ）のように、曲進ガイドレール部１８ｅ３の前側部及び後側部を兼用する後の直線ガイドレール部１８ｅ１の左側部又は右側部に入った高さの高い補助ローラ２５ｂは直線ガイドレール部１８ｅ１の中間部には移動できず曲進ガイドレール部１８ｅ３の中間部に向かう。この場合、更に該中間部を通過する際、前の直線ガイドレール部１８ｅ２側にも移動できず、スムーズに中間部にガイドされる。また、図１９（ｃ）のように、後の直線ガイドレール部１８ｅ１は中央引戸１ｃの右側端部に取付けた上ランナ２３の上面に設けた４個の高さの低い補助ローラ２５ａのうち後側の２個の高さの低い補助ローラ２５ａが直進するようにガイドするようになっており、前の直線ガイドレール部１８ｅ２は中央引戸１ｃの右側端部に取付けた上ランナ２１の上面に設けた４個の高さの低い補助ローラ２５ａのうち前側の２個の高さの低い補助ローラ２５ａが直進するようにガイドするようになっている。
【００４２】
ところで、中央引戸１ｃの右側端部に取付けた上ランナ２１の上面に設けた４個の高さの低い補助ローラ２５ａは前後左右の４個の補助ローラ２５ａが曲進ガイドレール部１８ｅ３を同時に横切らないようになっており、どれかの高さの低い補助ローラ２５ａが曲進ガイドレール部１８ｅ３との交差部分を横切る際に少なくとも前後１個ずつの補助ローラ２５ａが前の直線ガイドレール部１８ｅ２、後の直線ガイドレール部１８ｅ１内に位置していて上記交差部分を通過する際に首振りすることなく直進するように構成してある。
【００４３】
また、補助レールブロック１８ｆは、中央引戸１ｃの左側に取付けた上ランナ２３の上面に設けた高さの高い後側に片寄った２個の補助ローラ２５ｂが直進するようにガイドすると共に右側に取付けた上ランナ２３の上面に設けた高さの低い前後４個の補助ローラ２５ａが曲進するようにガイドするためのもので、図８（ｄ）に示すように、両端部及び下方に開口した溝状の直線ガイドレール部１８ｆ１を後側に設けると共に、両端が開口し且つ下方に開口した円弧状をした溝状の曲進ガイドレール部１８ｆ２を前側に設けてあり、直線ガイドレール部１８ｆ１が後側直進レール部１０の後側に沿って配設してあると共に、曲進ガイドレール部１８ｄ２が左側の湾曲レール部１３の前側に沿って配設してある。
【００４４】
ここで、曲進ガイドレール部１８ｆ２は直線ガイドレール部１８ｆ１の下端よりも下方に突出して形成してあり、曲進ガイドレール部１８ｆ２の下端は高さの低い補助ローラ２５ａの上端よりも上方に位置している。図２０（ｄ）に示すように、直線ガイドレール部１８ｆ１には中央引戸１ｃの左側端部に取付けた上ランナ２３の上面の後側に片寄って設けた高さの高い補助ローラ２５ｂが挿入されることになって中央引戸１ｃの右側端部に取付けた上ランナ２３を直線走行させるようにガイドするようになっている。また、図２０（ｃ）に示すように、曲進ガイドレール部１８ｆ２には中央引戸１ｃの右側端部に取付けた上ランナ２２の上面の前側に片寄って設けた２個の高さの低い補助ローラ２５ｂが挿入されることで、中央引戸１ｃの右側に取付けた上ランナ２３を右側の湾曲レール部１３に沿って導入するようになっており、この場合、中央引戸１ｃの右側端部に取付けた上ランナ２２の上面の後側に片寄って設けた２個の高さの低い補助ローラ２５ｂは補助レールブロック１８ｆの下面部の上記曲進ガイドレール部１８ｄ２の下端よりも上方に凹んだ段落ち部１８ｆ３の下方を通過するように構成してある。なお、直線ガイドレール部１８ｆ１の下端は上記段落ち部１８ｆ３の上底に開口しているため高さの低い補助ローラ２５ａが直線ガイドレール部１８ｆ１内に入り込むことはない。
【００４５】
次に連動機構１５を説明する。
【００４６】
本例の一方引戸１ａ、他方引戸１ｂ、中央引戸１ｃは、厚み、幅、高さの寸法が略同じものを用いており、各引戸１ａ〜１ｃは各々木製の引戸本体３０の両側縁に長尺なアルミニウム製の中空筒状の縦縁材３１を取付けて構成してある。縦縁材３１の上端面にはエンドキャップ３３が設けてある。
【００４７】
一方引戸１ａの右側の縦縁材３１、他方引戸１ｂの左側の縦縁材３１は前面中央を後方に凹ませて指掛部３２ｇを形成している。また一方引戸１ａの左側の縦縁材３１、他方引戸１ｂの右側の縦縁材３１は、縦縁材３１の前部に後部よりも外側方に突出した指掛部３２ｇを形成している。また中央引戸１ｃの左右両側の縦縁材３１は外側半部の前面に引戸本体３０の前面よりも後方に凹む凹段部３２ｅを形成してあり、３枚の引戸１ａ〜１ｃを面一に閉じた状態においては、一方引戸１ａ及び他方引戸１ｂの縦縁材３１の指掛部３２ｇが凹段部３２ｅに配されて中央引戸１ｃの縦縁材３１の外側端部の前方に位置して重複するようになっている。そして上記各引戸１ａ〜１ｃの各縦縁材３１は指掛部３２ｇや凹段部３２ｅに手指を掛ける等して引戸１ａ〜１ｃを開閉できるようになっており、把手を兼ねている。
【００４８】
ここで図１１乃至図１３に示すように中央引戸１ｃの左右両端部の夫々の上端面には前後に長い係合溝３３ｃを形成している。また一方引戸１ａの右側端部及び他方引戸１ｂの左側端部（即ち一方引戸１ａ及び他方引戸の夫々の閉じ方向側の端部）の上端からは係合溝３３ｃに係合可能な係合部材３５を後方に向けて突出している。そしてこれら係合溝３３ｃと係合部材３５によって連動機構１５が構成されている。
【００４９】
一方引戸１ａの係合部材３５と他方引戸１ｂの係合部材３５は左右対称であり、各係合部材３５は縦片状の引戸取付部３５ａの上端から横片状の横片部３５ｂを後方に突出した断面Ｌ字状の金具からなるアングル３５ｃを備え、横片部３５ｂに係合突部３５ｄを突設して構成してある。アングル３５ｃは引戸取付部７５ａを一方引戸１ａ及び他方引戸１ｂの夫々の上端部の後面にねじのような固着具３４ｂで固着することで取付けられている。
【００５０】
アングル３５ｃを一方引戸１ａ及び他方引戸１ｂに取付けるにあたって、一方引戸１ａの右側端部の上端部の後面及び他方引戸１ｂの左側端部の上端部の後面には凹部３２ｆを形成している。各凹部３２ｆは縦縁材３１の上端部の後面に形成した凹部３２ｆからなる。凹部３２ｆの底面は縦縁材３１の後面よりも引戸取付部３５ａの厚み寸法以上前方に位置している。アングル３５ｃは引戸取付部３５ａを凹部３２ｆの底面に当てた状態で取付けてあり、これによりアングル３５ｃの引戸取付部３５ａは凹部３２ｆ内に完全に収まるように収納されている。
【００５１】
一方引戸１ａのアングル３５ｃの横片部３５ｂの後端部は左側方に突出し、また他方引戸１ｂのアングル３５ｃの横片部３５ｂの後端部は右側方に突出しており、各突出部分には前記係合溝３３ｃに係合しつつ係合溝３３ｃに沿って移動自在となる係合突部３５ｄを下方に向けて突設している。係合突部３５ｄは横片部３５ｂに上下軸回りに回転自在に軸支したローラで構成されている。係合突部３５ｄを構成するローラはゴム等の軟質材料で形成してあり、これにより係合溝３３ｃに係合した連動時の衝撃を緩和でき、またこの連動時の生じる音を小さくできるようにしている。
【００５２】
中央引戸１ｃの右側に形成した一方引戸１ａ用の係合溝３３ｃと左側に形成した他方引戸１ｂ用の係合溝３３ｃは左右対称であり、各係合溝３３ｃは中央引戸１ｃの各縦縁材３１のエンドキャップ３３の上面に形成している。つまり本例ではエンドキャップ３３を前記係合部材３５の係合突部３５ｄが係合する受け部材としている。
【００５３】
各係合溝３３ｃは平面視で略Ｌ字状の溝からなり、左右方向と平行な溝状で一端が外側方（つまり右側の係合溝３３ｃにあっては右側方であり、左側の係合溝３３ｃにあっては左側方）に開口する突部挿入口３３ｄと、突部挿入口３３ｄの他端から前側に伸びるガイド溝部３３ｅとで構成されている。ガイド溝部３３ｅは前後方向と平行な直線状の溝であり、その前後方向の長さは中央引戸１ｃの引戸本体３０の厚み寸法よりも長くなっている。ここで各係合溝３３ｃのガイド溝部３３ｅの内側の側面（つまり右側の係合溝３３ｃにあっては左側の側面であり、左側の係合溝３３ｃにあっては右側の側面）を押側ガイド面３３ｆとし、且つ外側の側面（つまり右側の係合溝３３ｃにあっては右側の側面であり、左側の係合溝３３ｃにあっては左側の側面）を引側ガイド面３３ｇとすると、押側ガイド面３３ｆ及び引側ガイド面３３ｇは共に前後方向と平行な縦面となっている。
【００５４】
次に動作を説明する。
【００５５】
例えば図１１（図１（ａ）、図２（ａ）、図３）に示す３枚の引戸１ａ〜１ｃを面一にして閉じた状態から図１２、図１３、図１４と順に他方引戸１ｂを一方引戸１ａ側に向かって移動して他方引戸１ｂを中央引戸１ｃの前方側に重なるようにすると、他方引戸１ｂの上面の左側端部から後方に突出した位置に設けた係合突部３５ｄが、図２２のように中央引戸１ｃの上面の左側端部に設けた係合溝３３ｃの後端部の中央引戸１ｃから後方に突出した位置にある突部挿入口３３ｄに近接対向し、この状態で更に他方引戸１ｂを移動すると図２３のように他方引戸１ｂと中央引戸１ｃとが概ね重なる段階で係合突部３５ｄが突部挿入口３３ｄから係合溝３３ｃの後端部内に挿入されて係合溝３３ｃの押側ガイド面３３ｆの後端部（突部挿入口３３ｄに対向する部分）に当たって係合し、他方引戸１ｂの係合突部３５ｄで係合溝３３ｃの押側ガイド面３３ｆを押して他方引戸１ｂの移動に連動して中央引戸１ｃを右側に移動させながら係合突部３５ｄが係合溝３３ｃの前端側に移動し、図２４のように他方引戸１ｂと中央引戸１ｃとが前後方向に離反する段階で、係合突部３５ｄは係合溝３３ｃの押側ガイド面３３ｆの前端部に当たって係合した状態で停止する。これにより中央引戸１ｃは前記他方引戸１ｂと中央引戸１ｃとが概ね重なる段階から３枚の引戸１ａ〜１ｃを右側に寄せた全開状態となるまでは他方引戸１ｂと連動して一方引戸１ａ側に移動する。
【００５６】
また逆に図１４に示す３枚の引戸１ａ〜１ｃを右側に寄せた全開状態から図１３、図１２、図１１と順に他方引戸１ｂを閉じる方向に移動する時、他方引戸１ｂの係合突部３５ｄは、中央引戸１ｃが中央の閉じ位置に移動する直前の段階まで図２４のように係合溝３３ｃの引側ガイド面３３ｇの後端部に当たって係合した状態となり、この後、他方引戸１ｂと中央引戸１ｃとが前後方向に接近し始める段階で係合溝３３ｃの引側ガイド面３３ｇに当たって係合しつつ係合溝３３ｃの前端側に移動し、この後、図２３のように中央引戸１ｃが閉じ位置に完全に移動した段階（他方引戸１ｂと中央引戸１ｃの前後方向の接近が終了した段階）で係合溝３３ｃの前端部に至る。これにより中央引戸１ｃは右側に寄せた全開状態からその閉じ位置である中央に移動するまでは他方引戸１ｂと連動する。そしてこの中央引戸１ｃが閉じ位置に完全に移動した段階に達すると、図２２のように係合突部３５ｄは係合溝３３ｃの前端部に至って引側ガイド面３３ｇへの当たりがなくなって係合が解除され、突部挿入口３３ｄから外側方に向かって移動する。これにより他方引戸１ｂは単独で閉位置まで移動することとなる。
【００５７】
上記構成によれば、他方引戸１ｂと中央引戸１ｃとを連動機構１５によって連動できるので、中央引戸１ｃを手で開閉する必要がなくなり、開閉操作がきわめて容易となる。
【００５８】
また図１に示すように、中央引戸１ｃの両端側にそれぞれ係合溝３３ｃを設け、他方引戸１ｂの左端（把手側）、及び、一方引戸１ａの右端（把手側）にそれぞれ係合部材３５を設けたので、左開きと右開きのいずれの場合も連動機構１５が働く構造となる。つまり、３枚の引戸１ａ〜１ｃが一列に段差なく面一に配置された全閉状態で、一方引戸１ａを他方引戸１ｂ側に向けて移動することで、他方引戸１ｂ及び中央引戸１ｃと同様に、連動機構１５により中央引戸１ｃを一方引戸１ａに連動して移動できるようになっている。なおこの３枚の引戸１ａ〜１ｃを面一にして閉じた状態から一方引戸１ａを他方引戸１ｂ側に向かって移動する時、及び３枚の引戸１ａ〜１ｃを左側に寄せた全開状態から一方引戸１ａを閉じる方向に移動する時には一方引戸１ａの係合突部３５ｄが中央引戸１ｃの右側の係合溝３３ｃに係合するものであるが、この時の係合突部３５ｄの係合溝３３ｃへの係合は上記した他方引戸１ｂ及び中央引戸１ｃのそれと同様のものであるので説明を省略する。
【００５９】
なお、各引戸１の下端部の中央の１箇所には下ローラ２７が突設されている。下ローラ２７はＬ形部材６０を介して引戸１〜３の各下端部の中央位置に取り付けられている。下ローラ２７をガイドする下レール６には、図２乃至図６に示すように、共用レール部１０１の長手方向Ｍの両端側から後方Ｂに向って傾斜した左右の曲進レール部４２，４３がそれぞれ設けられ、曲進レール部４２、４３の端部から共用レール部１０１と平行な下端部直線レール部４５が連設してある。共用レール部１０１と平行で後側に位置する中央引戸用レール部１０２の中央部から前方Ａに向って半円形状に湾曲した１つの湾曲レール部４４が設けられている。
【００６０】
ここで、下レール６の左側の曲進レール部４２の位置は、上レール５の左側の外側曲進レール部１１と内側曲進レール部１２との中間位置に対向しており、下レール６の右側の曲進レール部４３の位置は、上レール５の右側の外側曲進レール部１１と内側曲進レール部１２との中間位置に対向しており、下レール６の湾曲レール部４４の位置は、上レール５の左右の湾曲レール部１３，１３の中間位置に対向している。
【００６１】
そして、各引戸１の上端部は左右２個の上ランナ２１（２２，２３）で吊り下げ支持され、３枚の引戸１が面一となって閉じた状態で、一方引戸１ａの下ローラ２７が右側の曲進レール部４３の後端部に連設した下端部直線レール部４５に位置し、中央の引戸１ｃの下ローラ２７が湾曲レール部４４の前端部に位置し、他方引戸１ｂの下ローラ２７が左側の曲進レール部４２の後端部に連設した下端部直線レール部４５に位置する。図１４（ｃ）の左開きの場合、一方引戸１ａの下ローラ２７が右側の曲進レール部４３の後端部に位置し、他方引戸１ｂの下ローラ２７が共用レール部１０１の直線部分の右端に位置し、中央の引戸１ｃの下ローラ２７が中央引戸用レール部１０２の直線部分の右端に位置する。また、図１５（ｃ）の右開きの場合、他方引戸１ｂの下ローラ２７が左側の曲進レール部４２の後端部に連設した下端部直線レール部４５に位置し、一方引戸１ａの下ローラ２７が共用レール部１０１の直線部分の右端に位置し、中央の引戸１ｃの下ローラ２７が中央引戸用レール部１０２の直線部分の左端に位置する。
【００６２】
上記例において下端部直線レール部４５を設けることで前述の上レールに端部直線レール部１４を設けたのと同じ作用効果を奏し、一方引戸１ａ、他方引戸１ｂが全閉状態でいずれも前後方向において正規の位置になって段差が生じないようにでき、また、開いた状態でも、正常な位置に確実に位置させることができ、全開状態で一方引戸１ａ又は他方引戸１ｂが正規の位置よりも前側にずれていて他方引戸１ｂ又は一方引戸１ａが閉じる際に衝突したり、擦れたりせず、スムーズに正常な位置に確実に位置させて閉じることができる。
【００６３】
このように下端部は１個の下ローラ２７で下レール６にガイドされる結果、各引戸１の走行の安定化を十分に図ることができると共に、１個の下ローラ２７を用いることで、下レール６の溝形状を上レール５の溝形状よりも簡易にでき、下レール６のコスト低減を図ることができる利点もある。
【００６４】
図２５には引戸１の下端部の中央の１箇所に下ローラ２７を突設して取付けるためのＬ形部材６０の一実施形態が示してある。
【００６５】
図２５に示す実施形態においては、引戸固定部材６１と、引戸固定部材６１に対して上下方向に移動自在となったＬ形可動部材６２とでＬ形部材６０が構成してあり、Ｌ形可動部材６２には前後方向に移動自在となった横板６２ｄを設けてあり、該横板６２ｄの先端部の下面側に下ローラ２７が回転自在に取り付けてある。
【００６６】
引戸固定部材６１は引戸１の下端部中央の１箇所に取り付けられるものであり、この引戸固定部材６１は下方に開口する凹所６４を設けてあり、該凹所６４に下開口からＬ形可動部材６２の縦部材６２ａが上下に移動自在に嵌め込んであり、縦部材６２ａの上部と凹所６４の内の天井部との間にコイルスプリング６５が介在してあってＬ形可動部材６２を下方に向けて弾性付勢してある。横板６２ｄはＬ形可動部材６２の横片部６２ｂにスライド自在に重複またはスライド自在に嵌め込まれ、横片部６２ｂに設けた横長孔６２ｃから挿入したねじ具６６を横板６２ｄのねじ孔に螺合することで、取り付けてあり、ねじ具６６を緩めることでＬ形可動部材６２を前後方向にスライドでき、ねじ具６６を締め付けることでスライド位置で固定できるようになっている。
【００６７】
下ローラ２７は前述のように下レール６に設けた共用レール部１０１又は中央引戸用レール部１０２に走行自在に嵌め込まれるのであるが、この場合、下レール６から引戸１の下面までの寸法が現場毎異なっても、縦部材６２ａが上下移動自在で且つコイルスプリング６５により下方に弾性付勢してあるので、下レール６から引戸１の下面までの寸法の現場毎のばらつきを吸収することができ、また、各引戸１と共用レール部１０１又は中央引戸用レール部１０２の平面視における位置関係が現場毎ばらつきがあっても、ねじ具６６を緩めてＬ形可動部材６２を前後方向にスライドすることで、各引戸１と共用レール部１０１又は中央引戸用レール部１０２の平面視における位置関係の現場毎のばらつきを吸収することができ、これにより、下ローラ２７を確実に共用レール部１０１又は中央引戸用レール部１０２に走行自在に嵌め込んでスムーズに走行させることができる。
【００６８】
また、図２６、図２７には引戸１の下端部の中央の１箇所に下ローラ２７を突設して取付けるためのＬ形部材６０の他の一実施形態が示してある。
【００６９】
本実施形態においては、引戸固定部材６１と、引戸固定部材６１に対して上下方向に移動自在となったＬ形可動部材６２とでＬ形部材６０が構成してある。本実施形態におけるＬ形可動部材６２は下面側に下ローラ２７を回転自在に取り付けた横板６２ｄの前後方向の一端部の左右両端部から上方に向けて一対の棒状の縦部材６２ａを突設して構成してある。
【００７０】
本実施形態においては引戸固定部材６１には下方に開口する凹所６４が設けてあり、該凹所６４内には左右両端部に上下方向に貫通する挿通孔６９ａを有する前後移動部材６９が上下方向、左右方向には移動しないが、前後方向にのみ移動自在に取り付けてある。図の実施形態では前後移動部材６９の中央部に前後に貫通して設けた孔６９ｂを引戸固定部材６１に固定したねじ具７０に挿通することで、前後移動部材６９が上下方向、左右方向には移動しないが、前後方向にのみ移動自在に凹所６４内に取り付けてある。前後移動部材６９の左右の挿通孔６９ａには一対の棒状の縦部材６２ａが上下移動自在に挿通してあり、一対の縦部材６２ａの上部と凹所６４の内の天井部との間にコイルスプリング６５が介在してあってＬ形可動部材６２を下方に向けて弾性付勢してある。したがって、Ｌ形可動部材６２は上下方向に移動自在で且つ下方に向けて弾性付勢してあると共に、前後移動部材６９が前後方向に移動可能となっていることでＬ形可動部材６２は前後方向に移動できるようになっている。
【００７１】
下ローラ２７は前述のように下レール６に設けた共用レール部１０１又は中央引戸用レール部１０２に走行自在に嵌め込まれるのであるが、この場合、下レール６から引戸１の下面までの寸法が現場毎異なっても、Ｌ形可動部材６２が上下移動自在で且つコイルスプリング６５により下方に弾性付勢してあるので、下レール６から引戸１の下面までの寸法の現場毎のばらつきを吸収することができ、また、各引戸１と共用レール部１０１又は中央引戸用レール部１０２の平面視における位置関係が現場毎ばらつきがあっても、Ｌ形可動部材６２は前後方向に移動できるので、各引戸１と共用レール部１０１又は中央引戸用レール部１０２の平面視における位置関係の現場毎のばらつきを吸収することができ、これにより、下ローラ２７を確実に共用レール部１０１又は中央引戸用レール部１０２に走行自在に嵌め込んでスムーズに走行させることができる。
【００７２】
図２７（ａ）（ｂ）はＬ形可動部材６２が図２６（ｃ）、（ｄ）の状態に比べてコイルスプリング６５のばね力に抗して上方に移動している状態を示している。また、図２７（ｃ）、（ｄ）はＬ形可動部材６２が図２７（ａ）（ｂ）状態に比べて前後方向に移動している状態を示している。この図２７（ｃ）（ｄ）のようにＬ形可動部材６２が前後方向に移動した状態ではコイルスプリング６５が斜めに傾斜するの、コイルスプリング６５が垂直に戻ろうとするばね力がＬ形可動部材６２に作用し、これにより前後方向にＬ形可動部材６２が移動自在であると言えども、下ローラ２７を共用レール部１０１又は中央引戸用レール部１０２に走行自在に嵌め込んだ場合の前後方向のがたつきを防止することができる。
【００７３】
また、図２８には引戸１の下端部の中央の１箇所に下ローラ２７を突設して取付けるためのＬ形部材６０の更に他の一実施形態が示してある。
【００７４】
本実施形態においては、引戸固定部材６１と、引戸固定部材６１に対して上下方向に移動自在となったＬ形可動部材６２とでＬ形部材６０が構成してある。本実施形態における引戸固定部材６１は一対の下方が開口した筒体により構成してあり、図示を省略しているが、引戸１の下端部の中央に左右方向に並べて形成した下方開口孔（図示せず）に上記一対の筒体よりなる引戸固定部材６１を嵌め込んで固定されるようになっている。Ｌ形可動部材６２は下面側に下ローラ２７を回転自在に取り付けた横板６２ｄの前後方向の一端部の左右両端部から上方に向けて一対の棒状の縦部材６２ａを突設して構成してある。
【００７５】
引戸固定部材６１と、引戸固定部材６１に対して上下方向に移動自在となったＬ形可動部材６２とでＬ形部材６０が構成してある。本実施形態におけるＬ形可動部材６２は下面側に下ローラ２７を回転自在に取り付けた横板６２ｄの前後方向の一端部の左右両端部から上方に向けて一対の棒状の縦部材６２ａを突設して構成してある。
【００７６】
上記Ｌ形可動部材６２の一対の縦部材６２ａは前述の引戸の下端部の中央に左右方向に並べて固定された一対の筒体よりなる引戸固定部材６１に上下移動自在に嵌め込まれ、一対の縦部材６２ａの上部と一対の筒体よりなる引戸固定部材６１内の上底部との間にコイルスプリング６５が介在してあってＬ形可動部材６２を下方に向けて弾性付勢してある。
【００７７】
また、横板６２ｄには前後方向に長い長孔６２ｅが設けてある。下ローラ２７は垂直なローラ軸２７ａの下部に水平回動自在に設けてある。ローラ軸２７ａの上下方向の中間部にはローラ軸２７ａよりも大径の座部２７ｂが設けてあり、ローラ軸２７ａの上部（座部２７ｂよりも上方の部位）は断面四角形状をした角軸部２７ｃとなっており、角軸部２７ｃには上端面に開口するねじ穴２７ｄが設けてある。ローラ軸２７ａの上部の角軸部２７ｃは横板６２ｄの長孔６２ｅに前後方向にスライドはできるが回転できないように嵌め込んであり、横板６２ｄの上面側においてワッシャ２７ｆを介してねじ具２７ｇをねじ穴２７ｄに上方から螺合することで、ワッシャ２７ｆを介してねじ具２７ｇの頭部と、座部２７ｂとで横板６２ｄを上下から挟持することで横板６２ｄに対してローラ軸２７ａを取り付けるようになっている。そして、ねじ具２７ｇを緩めることで長孔６２ｅに対してローラ軸２７ａを前後方向に移動して位置調整ができるようになっており、位置調整をした状態でねじ具２７ｇを固定することで、前後方向に移動しないように固定できる。
【００７８】
したがって、Ｌ形可動部材６２は上下方向に移動自在で且つ下方に向けて弾性付勢してあり、また、下ローラ２７を取り付けたローラ軸２７ａが前後方向に移動可能となっていることで下ローラ２７は前後方向に移動して前後方向の位置調整ができるようになっている。
【００７９】
下ローラ２７は前述のように下レール６に設けた共用レール部１０１又は中央引戸用レール部１０２に走行自在に嵌め込まれるのであるが、この場合、下レール６から引戸１の下面までの寸法が現場毎異なっても、Ｌ形可動部材６２が上下移動自在で且つコイルスプリング６５により下方に弾性付勢してあるので、下レール６から引戸１の下面までの寸法の現場毎のばらつきを吸収することができ、また、各引戸１と共用レール部１０１又は中央引戸用レール部１０２の平面視における位置関係が現場毎ばらつきがあっても、下ローラ２７を取り付けたローラ軸２７ａの前後方向の位置調整をすることで、各引戸１と共用レール部１０１又は中央引戸用レール部１０２の平面視における位置関係の現場毎のばらつきを吸収することができ、これにより、下ローラ２７を確実に共用レール部１０１又は中央引戸用レール部１０２に走行自在に嵌め込んでスムーズに走行させることができる。
【００８０】
また、図２９には図２８の実施形態の変形例が示してある。つまり、本実施形態は基本的構成が図２８の実施形態と同じであるが、ローラ軸２７ａを横板６２ｄに前後方向に位置調整自在に取り付ける構成が異なるので、この点についてのみ説明する。下ローラ２７は垂直なローラ軸２７ａの下部に水平回動自在に設けてある。ローラ軸２７ａの上下方向の中間部にはローラ軸２７ａよりも大径の座部２７ｂが設けてあり、ローラ軸２７ａの座部２７ｂの上部に断面四角形状をした角軸部２７ｃが設けてあり、更にローラ軸２７ａの角軸部２７ｃよりも上方の部位（つまりローラ軸２７ａの上部）が雄ねじ部２７ｈとなっている。ローラ軸２７ａの上部の角軸部２７ｃは横板６２ｄの長孔６２ｅに前後方向にスライドはできるが回転できないように嵌め込んであり、更に、雄ねじ部２７ｈが横板６２ｄ上面から上方に突出してあり、この雄ねじ部２７ｈにナット２７ｉを螺合して、ナット２７ｉと座部２７ｂとで横板６２ｄを上下から挟持することで横板６２ｄに対してローラ軸２７ａを取り付けるようになっている。そして、ナット２７ｉを緩めることで長孔６２ｅに対してローラ軸２７ａを前後方向に移動して位置調整ができるようになっており、位置調整をした状態でナット２７ｉを締め付けることで、前後方向に移動しないように固定できる。
【００８１】
したがって、Ｌ形可動部材６２は上下方向に移動自在で且つ下方に向けて弾性付勢してあり、また、下ローラ２７を取り付けたローラ軸２７ａが前後方向に移動可能となっていることで下ローラ２７は前後方向に移動して前後方向の位置調整ができるようになっている。
【００８２】
なお、本発明に係る引戸装置は、クローゼットの扉以外に各種の開閉扉の分野にも広く適用できるものである。
【図面の簡単な説明】
【００８３】
【図１】本発明の引戸装置の開閉動作を示し、（ａ）は３枚の引戸を面一に閉じた状態を示す上レール部分を下から見た概略下面図であり、（ｂ）は開閉途中の状態を示す上レール部分を下から見た概略下面図であり、（ｃ）は３枚の引戸を前後に重ねた全開状態を示す上レール部分を下から見た概略下面図である。
【図２】同上の引戸装置の開閉動作を示し、（ａ）は３枚の引戸を面一に閉じた状態を示す概略平断面図であり、（ｂ）は開閉途中の状態を示す概略平断面図であり、（ｃ）は３枚の引戸を前後に重ねた全開状態を示す概略平断面図である。
【図３】同上の引戸装置の全閉状態の上レールを省略した後方から見た斜視図である。
【図４】同上の引戸装置の開閉途中の状態の上レールを省略した後方から見た斜視図である。
【図５】同上の引戸装置の更に開閉途中の状態の上レールを省略した後方から見た斜視図である。
【図６】同上の引戸装置の３枚の引戸を前後に重ねた全開状態の上レールを省略した後方から見た斜視図である。
【図７】同上の上レールの下方から見た分解斜視図である。
【図８】（ａ）（ｂ）（ｃ）（ｄ）（ｅ）（ｆ）はそれぞれ補助レールブロック１８ａ〜１８ｆの下方から見た拡大斜視図である。
【図９】（ａ）は上レールの下方から見た斜視図であり、（ｂ）は副上レールカバーを省略した状態の上レールの下から見た斜視図である。
【図１０】（ａ）は上レールの下方から見た下面図であり、（ｂ）は副上レールカバーを省略した状態の上レールの下から見た下面図であり、（ｃ）は３枚の引戸の全閉状態の上レール部分を下方から見た斜視図である。
【図１１】同上の図３の一部破断した拡大斜視図である。
【図１２】同上の図４の一部破断した拡大斜視図である。
【図１３】同上の図５の一部破断した拡大斜視図である。
【図１４】同上の図６の一部破断した拡大斜視図である。
【図１５】（ａ）（ｂ）（ｃ）は同上の左開きの操作順序を示す説明図である。
【図１６】（ａ）（ｂ）（ｃ）は同上の右開きの操作順序を示す説明図である。
【図１７】同上の上レールにおける補助レールブロックの位置と、３枚の引戸に設けた上ランナ、補助ローラの位置関係を示す説明図である。
【図１８】同上の補助レールブロック１８ｂ、補助レールブロック１８ｅと高さの低い補助ローラ及び高い補助ローラとの関係を示す説明図のための下方から見た下面図である。
【図１９】（ａ）は図１８のＥ−Ｅ線における高さの低い補助ローラと補助レールブロック１８ｂの関係を示す説明図であり、（ｂ）は図１８のＥ−Ｅ線における高さの高い補助ローラと補助レールブロック１８ｂの関係を示す説明図であり、（ｃ）は図１８のＦ−Ｆ線における高さの低い補助ローラと補助レールブロック１８ｅの関係を示す説明図であり、（ｄ）は図１８のＦ−Ｆ線における高さの高い補助ローラと補助レールブロック１８ｅの関係を示す説明図である。
【図２０】同上の補助レールブロック１８ｄ、補助レールブロック１８ｆと高さの低い補助ローラ及び高い補助ローラとの関係を示す説明図のための下方から見た下面図である。
【図２１】（ａ）は図２０のＧ−Ｇ線における高さの低い補助ローラと補助レールブロック１８ｄの関係を示す説明図であり、（ｂ）は図２０のＧ−Ｇ線における高さの高い補助ローラと補助レールブロック１８ｂの関係を示す説明図であり、（ｃ）は図２０のＨ−Ｈ線における高さの低い補助ローラと補助レールブロック１８ｆの関係を示す説明図であり、（ｄ）は図２０のＨ−Ｈ線における高さの高い補助ローラと補助レールブロック１８ｆの関係を示す説明図である。
【図２２】同上の連動機構の開操作時における係合突部が係合溝に導入される直前の状態を示し、（ａ）は平面図であり、（ｂ）は斜視図である。
【図２３】同上の連動機構の開操作時における係合突部が係合溝の突部挿入口に導入された状態を示し、（ａ）は平面図であり、（ｂ）は斜視図である。
【図２４】同上の連動機構の開操作時における係合突部が係合溝の前端部に導入された状態を示し、（ａ）は平面図であり、（ｂ）は斜視図である。
【図２５】同上の引戸の下端部の中央の１箇所に下ローラを突設して取付けるためのＬ形部材の一実施形態を示し、（ａ）は分解斜視図であり、（ｂ）は斜視図であり、（ｃ）は背面側から見た斜視図である。
【図２６】同上の引戸の下端部の中央の１箇所に下ローラを突設して取付けるためのＬ形部材の他の実施形態を示し、（ａ）は引戸に取り付けた状態の側面図であり、（ｂ）は引戸に取り付けた状態の正面図であり、（ｃ）はＬ形部材の側面図であり、（ｄ）はＬ形部材の正面図である。
【図２７】（ａ）はＬ形可動部材を上方に移動させた状態の側面図であり、（ｂ）はＬ形可動部材を上方に移動させた状態の正面図であり、（ｃ）はＬ形可動部材を前後方向に移動させた状態の側面図であり、（ｄ）はＬ形可動部材を前後方向に移動させた状態の正面図である。
【図２８】同上の引戸の下端部の中央の１箇所に下ローラを突設して取付けるためのＬ形部材の更に他の実施形態を示し、（ａ）は平面図であり、（ｂ）は正面図であり、（ｃ）は横板の平面図であり、（ｄ）は要部拡大側面図であり、（ｅ）は同上に用いる下ローラの斜視図である。
【図２９】同上の引戸の下端部の中央の１箇所に下ローラを突設して取付けるためのＬ形部材の更に他の実施形態を示し、（ａ）は要部拡大側面図であり、（ｂ）は同上に用いる横板の平面図である。
【符号の説明】
【００８４】
１  引戸
１ａ  一方引戸
１ｂ  他方引戸
１ｃ  中央引戸
５  上レール
７  共用レール部
８  中央引戸用レール部
９  前側直進レール部
１０  後側直進レール部
１１  外側曲進レール部
１２  内側曲進レール部
１３  湾曲レール部
１８ｂ  補助レールブロック
１８ｂ１  直線ガイドレール部
１８ｂ２  直線ガイドレール部
１８ｂ３  曲進ガイドレール部
１８ｄ  補助レールブロック
１８ｄ１  直線ガイドレール部
１８ｄ２  曲進ガイドレール部
１８ｅ  補助レールブロック
１８ｅ１  直線ガイドレール部
１８ｅ２  直線ガイドレール部
１８ｅ３  曲進ガイドレール部
１８ｆ  補助レールブロック
１８ｆ１  直線ガイドレール部
１８ｆ２  曲進ガイドレール部
２１  上ランナ
２２  上ランナ
２３  上ランナ
２５ａ  高さの低い補助ローラ
２５ｂ  高さの高い補助ローラ
【図１】
2007177611.tif 000003
【図２】
2007177611.tif 000004
【図３】
2007177611.tif 000005
【図４】
2007177611.tif 000006
【図５】
2007177611.tif 000007
【図６】
2007177611.tif 000008
【図７】
2007177611.tif 000009
【図８】
2007177611.tif 000010
【図９】
2007177611.tif 000011
【図１０】
2007177611.tif 000012
【図１１】
2007177611.tif 000013
【図１２】
2007177611.tif 000014
【図１３】
2007177611.tif 000015
【図１４】
2007177611.tif 000016
【図１５】
2007177611.tif 000017
【図１６】
2007177611.tif 000018
【図１７】
2007177611.tif 000019
【図１８】
2007177611.tif 000020
【図１９】
2007177611.tif 000021
【図２０】
2007177611.tif 000022
【図２１】
2007177611.tif 000023
【図２２】
2007177611.tif 000024
【図２３】
2007177611.tif 000025
【図２４】
2007177611.tif 000026
【図２５】
2007177611.tif 000027
【図２６】
2007177611.tif 000028
【図２７】
2007177611.tif 000029
【図２８】
2007177611.tif 000030
【図２９】
2007177611.tif 000031